(57)【要約】【課題】釣竿又はその他の釣具において装着されている天然素材を有する部品の耐久性を向上させる。【解決手段】マトリックス樹脂に天然素材の粉を混在させた小領域を多数集合させて形成した腹当部品等を設けた釣竿であって、前記粉の混在した各小領域１４Ｓは約５０ミクロン以上の層厚を有し、粉の殆ど存在しない合成樹脂環状層１４Ｋによって概ね囲まれており、各小領域は、同じ面積の円に換算した場合、直径が約０．５〜５ｍｍの範囲内の大きさが殆どであり、合成樹脂環状層の外側領域１４Ｔに、小領域と同様の天然素材粉の混在した状態のマトリックス樹脂が充填されており、該外側領域においては、各合成樹脂環状層の存在によって部品表面における或る場所から或る程度距離を隔てた他の表面部位にまで至る直線状ラインが引けず、この横断面形態が長手方向に連続するよう構成する。【選択図】        図４
2004173622.tif 000002
【特許請求の範囲】
【請求項１】
マトリックス樹脂に天然素材の粉を混在させた小領域を多数集合させて形成した腹当部品等の部品を設けた釣竿であって、
前記部品は、釣竿の長手方向に対して直交する面によって該部品を切断した横断面において、前記粉の混在した各小領域は、約５０ミクロン以上の層厚を有し、前記粉の殆ど存在しない合成樹脂環状層によって概ね囲まれており、前記各小領域は、同じ面積の円に換算した場合、直径が約０．５〜５ｍｍの範囲内の大きさが殆どであり、各小領域の外側領域は前記合成樹脂環状層のみであるか、又は前記合成樹脂環状層の外側領域に、前記小領域と同様の天然素材粉の混在した状態のマトリックス樹脂が充填されており、該外側領域においては、前記各合成樹脂環状層の存在によって、前記部品の表面における或る場所から該部品の肉厚程度距離を隔てた他の表面部位にまで至る直線状ラインが引けず、
こうした横断面における形態が、適宜長さに亘り概ね前記長手方向に連続している
ことを特徴とする釣竿。
【請求項２】
マトリックス樹脂に天然素材の粉を混在させた小領域を多数集合させて形成した部品を設けた釣具であって、
前記部品は細長形状であり、該部品の長手方向に対して直交する面によって前記部品を切断した横断面において、前記粉の混在した各小領域は、約５０ミクロン以上の層厚を有し、前記粉の殆ど存在しない合成樹脂環状層によって概ね囲まれており、前記各小領域は、同じ面積の円に換算した場合、直径が約０．５〜５ｍｍの範囲内の大きさが殆どであり、各小領域の外側領域は前記合成樹脂環状層のみであるか、又は前記合成樹脂環状層の外側領域に、前記小領域と同様の天然素材粉の混在した状態のマトリックス樹脂が充填されており、該外側領域においては、前記各合成樹脂環状層の存在によって、前記部品の表面における或る場所から該部品の肉厚程度距離を隔てた他の表面部位にまで至る直線状ラインが引けず、
こうした横断面における形態が、適宜長さに亘り概ね前記長手方向に連続している
ことを特徴とする釣具。
【請求項３】
細長状であって、殆どが同面積の円に換算した場合の直径が約０．５〜５ｍｍの範囲内の大きさの多数の天然素材を引き揃え状にし、合成樹脂を介在させて集合形成した腹当部品等の部品を設けた釣竿であって、釣竿の長手方向に対して直交する面によって前記部品を切断した横断面において、前記天然素材と合成樹脂との境界では、境界同士が近づいた部位を連結しても、該部品の表面における或る場所から該部品の肉厚程度距離を隔てた他の表面部位にまで至る直線状ラインが引けないことを特徴とする釣竿。
【請求項４】
細長状であって、殆どが同面積の円に換算した場合の直径が約０．５〜５ｍｍの範囲内の大きさの多数の天然素材を引き揃え状にし、合成樹脂を介在させて集合形成した細長状の部品を設けた釣具であって、長手方向に対して直交する面によって前記部品を切断した横断面において、前記天然素材と合成樹脂との境界では、境界同士が近づいた部位を連結しても、該部品の表面における或る場所から該部品の肉厚程度距離を隔てた他の表面部位にまで至る直線状ラインが引けないことを特徴とする釣具。
【発明の詳細な説明】
【０００１】
【発明の属する技術分野】
本発明は釣竿に天然素材と合成樹脂を用いて形成した釣具部品を設けた釣竿やその他の釣具に関する。
【０００２】
【従来の技術】
例えば、石鯛釣りに使用する釣竿では、釣り操作の必要性から、釣竿の竿尻に、所謂、腹当てと呼ばれる部品を装着している。獲物の石鯛が掛かった際に、この腹当部品を釣人の腹に当てがって竿操作を行うことが多い。この部品は、元々天然木で形成されており、その意味では高級感があった。しかし、その後、天然木に代わって、強化木というものに置き換わっている。これは天然木を薄板状に加工し、この薄板状の天然木を多数枚用意し、各板間に合成樹脂を介在させて積層状となし、外部から加圧して接合したものである。
【０００３】
【発明が解決しようとする課題】
然しながら、天然木の場合は、水分を吸収し易く、釣り場で水分を吸収し、その後、例えば釣り終了後に乾燥する。これを繰り返せばひび割れが生じる。上記強化木の場合も、薄板部材の積層のため、各薄板部材と合成樹脂との境界が、該腹当部品のある場所から直線状に延伸し、同部品の他の場所（反対側）にまで至っているため、この直線状の境界に沿ってひび割れが生じ易い。
こうしたことは、腹当部品に限るものではなく、尻栓部品、上栓部品、フライロッドのリールシート本体部品やグリップ部品、リールのハンドル部に装着しノブ部品、ルアー、バッグ類の取手、タモの柄、ヒシャクの柄、その他の釣具に使用されて天然素材を有する部品においても同様である。
本発明は、釣竿又はその他の釣具において装着されている天然素材を有する部品の耐久性向上を目的とする。
【０００４】
【課題を解決するための手段】
上記目的に鑑みて本発明の請求項１では、マトリックス樹脂に天然素材の粉を混在させた小領域を多数集合させて形成した腹当部品等の部品を設けた釣竿であって、前記部品は、釣竿の長手方向に対して直交する面によって該部品を切断した横断面において、前記粉の混在した各小領域は、約５０ミクロン以上の層厚を有し、前記粉の殆ど存在しない合成樹脂環状層によって概ね囲まれており、前記各小領域は、同じ面積の円に換算した場合、直径が約０．５〜５ｍｍの範囲内の大きさが殆どであり、各小領域の外側領域は前記合成樹脂環状層のみであるか、又は前記合成樹脂環状層の外側領域に、前記小領域と同様の天然素材粉の混在した状態のマトリックス樹脂が充填されており、該外側領域においては、前記各合成樹脂環状層の存在によって、前記部品の表面における或る場所から該部品の肉厚程度距離を隔てた他の表面部位にまで至る直線状ラインが引けず、こうした横断面における形態が、適宜長さに亘り概ね前記長手方向に連続していることを特徴とする釣竿を提供する。
部品の肉厚とは、部品が矩形状であればその縦方向長さか横方向長さであり、円形であれば直径であり、楕円形状であれば長軸方向長さか短軸方向長さという具合である。
【０００５】
まず、部品は天然素材の粉を混在させた小領域を有し、その周囲を前記粉の殆ど存在しない合成樹脂環状層によって概ね囲んでおり、この形態が適宜長さに亘り概ね釣竿の長手方向に連続しているため、例えば、この合成樹脂環状層の色合いを、他の領域の色合いと適宜に変える事によって天然材の風合いを醸し出す事ができる。
【０００６】
また、天然素材粉を混在させた小領域を多数集合させ、各小領域が、約５０ミクロン以上の層厚を有し、前記粉の殆ど存在しない合成樹脂環状層によって概ね囲まれているため、各小領域の天然素材粉が水分を吸収しても、合成樹脂環状層は殆ど水分を吸収しないため、各小領域は水分吸収領域としては夫々に分断される。従って、部品全体としてみた場合、部品表面の或る場所から、或る程度離れた他の場所にまで亘っては水分が吸収される領域が連続していない。従って、水分の吸収と乾燥とを繰り返してひび割れが生じることが防止でき、耐久性が向上する（各小領域の外側領域が合成樹脂環状層のみの場合）。
【０００７】
但し、合成樹脂環状層の外側領域に、小領域と同様の天然素材粉の混在した状態のマトリックス樹脂が充填されている場合は、該外側領域においては、各合成樹脂環状層の存在によって、部品表面における外側領域の或る場所から該部品の肉厚程度距離を隔てた他の表面部位にまで至る直線状ラインが引けないため、例えこの外側領域に水分が吸収され、そして乾燥することを繰り返しても、ひびは直線状に進行できず、幾度か方向を変えなければ深く進行できないため、結局は、ひび割れ等が生じ難く、耐久性が向上するといえる。
【０００８】
上記何れの場合でも、切削等の加工を施された部品の形状によっては、その表面部において合成樹脂環状層が大きく途切れ、合成樹脂環状層によって概ね囲まれているとはいえない小領域の多い場合があり得るが、その場合でも、小領域に関しては、円に換算した場合の直径が約０．５〜５ｍｍの範囲内の大きさが殆どであるため、水分の吸収し易いこれら小領域（の一部）は、部品表面から少し径方向（内部方向）に入った位置において前記合成樹脂環状層が存在し、結局、水分が内部方向には侵入し難くなっている。
【０００９】
請求項２では、請求項１の釣竿の長手方向に代わり、部品自体の長手方向を用いて表現した細長形状の部品を設けた釣具を提供する。
作用効果は請求項１と同様である。
【００１０】
請求項３では、細長状であって、殆どが同面積の円に換算した場合の直径が約０．５〜５ｍｍの範囲内の大きさの多数の天然素材を引き揃え状にし、合成樹脂を介在させて集合形成した腹当部品等の部品を設けた釣竿であって、釣竿の長手方向に対して直交する面によって前記部品を切断した横断面において、前記天然素材と合成樹脂との境界では、境界同士が近づいた部位を連結しても、該部品の表面における或る場所から該部品の肉厚程度距離を隔てた他の表面部位にまで至る直線状ラインが引けないことを特徴とする釣竿を提供する。
天然素材に水分が吸収され、そして乾燥することを繰り返して、例え隣接する合成樹脂層との境界にひびが発生しても、上記の直線状ラインが引けないので、幾度か方向を変えなければ長く進行できず、部品表面の或る場所から或る程度離れた他の場所に亘る状態にまでは進行できず、結局は、ひび割れ等が生じ難く、耐久性が向上する。
【００１１】
請求項４では、請求項３の釣竿の長手方向に代わり、部品自体の長手方向を用いて表現した細長形状の部品を設けた釣具を提供する。
作用効果は請求項３と同様である。
【００１２】
【発明の実施の形態】
以下、本発明を添付図面に示す実施形態例に基づき、更に詳細に説明する。
図１は本発明に係る釣竿であって、石鯛釣りに使用する釣竿の側面図であり、図２は腹当部品１４の側面図、図３はその平面図、図４は矢視線Ｄ−Ｄによる横断面図である。石鯛釣りの釣竿の竿管１０にはリール装着部の前後に握り部１２が設けられており、竿管後端には腹当部品１４が装着されている。
【００１３】
この部品１４は、部品における重量比率で５〜６０％の天然素材（木、コルク、草木、竹等）の粉と、合成樹脂（例えば、ＡＢＳ樹脂、ポリプロピレン等）とを使用して成形した部材を切削加工した部品であり、竿管１０内に挿入する挿入部１４Ａと、外部に露出させた露出部１４Ｂとを有する。部品の傷付き防止の観点から、合成樹脂は一般に硬質樹脂と言われるような硬質のものが好ましい。ロックウェルＡＳＴＭＤ７８５，Ｒスケール７１以上、好ましくは７６以上がよいが、これらに限るものではない。
【００１４】
詳細な形態は、図４のような横断面において現われている。即ち、同一面積の円に換算した場合の直径が約０．５〜５ｍｍの範囲の大きさ、好ましくは、約１〜３ｍｍの大きさの円形状や楕円状等の小領域１４Ｓが多数配設されている。この例では、部品の中心位置に対する同心円に概ね沿って小領域が並んでおり、半径位置の異なった複数（この図では３つ）の同心円の円周配列であるが、他の配列形態でもよく、全くランダムな配列でもよい。
【００１５】
上記各小領域１４Ｓでは、上記の合成樹脂をマトリックスとして上記の粉が多数ランダムに混在している。この各小領域を取り囲み、殆ど上記粉の存在しない合成樹脂の環状層１４Ｋが配設されている。図４では簡略図示のため、単なる実線のみで図示しているが、この層の層厚は５０ミクロン以上であり、好ましくは１００ミクロン以上である。その合成樹脂材は小領域のものと同じか、或いは異なってもよい。この例では、同じであるが、色が異なっており、小領域は薄い茶色であるが、環状層は濃い茶色としている。しかし、色の組合せは任意であり、例えば、小領域を肌色とし、環状層を黒色とすること等もできる。
【００１６】
更には、環状層の外側領域１４Ｔは、上記小領域と同じでよく、同様に粉の混在したマトリックス樹脂の領域である。然しながら、以下の他の形態例でも同様であるが、この外側領域１４Ｔは環状層１４Ｋと区別のない領域、即ち、小領域１４Ｓの外側は、上記の環状層１４Ｋと同じ、殆ど粉の混在していない合成樹脂の領域であってもよい。
【００１７】
横断面の形態が以上の如くであり、長手方向の現われる図２や図３に模式的に図示されているように、部品が削られて横断面形態の一部が釣竿の長手方向に延伸して現われている。即ち、濃い茶色の上記環状層１４Ｋと他の領域が延伸している状態が現われている。勿論、現実にはこれら模式図と異なり、長手方向の所々で途切れていることも多くある。この模様と色合いのために、腹当部品１４は全体としては合成物ではあるが、天然材の風合いを醸し出している。
【００１８】
上述の様に、各小領域１４Ｓは合成樹脂環状層１４Ｋによって概ね囲まれているため、小領域同士が連続していないため、水分を吸収した小領域があっても、その水分は隣接した小領域に侵入することが防止される。従って、仮に小領域に水分吸収と乾燥が繰り返され、そこに微小なひびが生じたとしても、それが伝播することが防止される。また、環状層１４Ｋの外側領域１４Ｔが小領域と同様な材質（粉を混在させたマトリックス樹脂）の場合、水分が吸収されて乾燥することを繰り返してひびが生じても、環状層の存在のために、そのひびが直線状には進行できず、紆余曲折を繰り返す必要が生じるため、ひび割れの進行を防止できる。
【００１９】
直線状の進行を防止するための小領域（と環状層）の配列としては、１つには全くのランダムな配列にすることがある。また、図４に示すように、複数段階に半径位置を異ならせた複数の円周上の配列では、配列された小領域を径方向に見た場合に、千鳥足状になるように配列する方法等もある。
また、図４の部品１４の上下の平面部のように、削られて環状層（と小領域）が切断されて半円等になり、小領域に水分が吸収され易くても、残った部分状の環状層の存在のためにそれ以上内部にまで侵入し難い。
【００２０】
こうして腹当部品１４は水分が吸収され難く構成されているため、竿管１０に挿入される挿入部１４Ａが膨張することが防止され、その結果、竿管の被挿入部の破損が防止される。
【００２１】
図５は本発明に係る釣竿に設ける上栓１６の側面図であり、図６は矢視線Ｆ−Ｆによる横断面図であり、挿入部１６Ａと露出部１６Ｂとを有している。挿入部１６Ａには中央部に縦割り１６Ｗを設けており、竿管先端部への挿入を容易にしている。この例の場合も、既述の腹当部品１４と同様に、横断面において、小領域１６Ｓの周囲を合成樹脂環状層１６Ｋが概ね囲み、その外側領域１６Ｔとがあるが、外側領域１６Ｔは環状層の一部である形態もあることは既述の通り腹当部品の場合と同様である。その他作用効果も同様である。
【００２２】
図７は本発明に係るリールシート本体１８を設けたルアーロッドの側面図であり、図８はその要部縦断面図である。前後の握り部１２’の間となる位置に設けたリールシート本体１８は、竿管１０’の外側に套嵌させている。このリールシート本体部品を、第１や第２の例の場合と同様な材料で同様に形成している。従って、部品１８の外周表面にはロッドの長手方向に延伸した模様となって合成樹脂環状層１８Ｋ等が現われている。
【００２３】
このリールシート本体のリール足２０の装着面１８Ｓ側は、径方向の反対側に比べて薄肉形成されている。従来の天然木や強化材で作成したものは、リール装着面側にひび割れが生じ易かったが、水分の吸収や乾燥が生じ難いため、ひび割れが生じ難い。
【００２４】
図９は本発明に係るフライロッドの側面図であり、リールＲの装着部であるリールシート本体部１８’を、以上と同様な材料で同様に形成しており、以上と同様な作用効果を奏する。
【００２５】
図１０は、本発明に係る釣竿以外の釣具としてのスピニングリールＲ’の側面図であり、ハンドル２２に設けた部品ノブ２４を、以上と同様な材料で同様に形成している。図１１はノブの拡大側面図であり、図１２は矢視線Ｌ−Ｌによる横断面図である。ノブは円柱状部品であり、その母線方向に細長い。この長手方向を、上記各例の釣竿の長手方向とすれば、同様な構成である。即ち、横断面において、小領域２４Ｓの周囲を合成樹脂環状層２４Ｋが概ね囲み、その外側領域２４Ｔは小領域と同様な材料の場合も、環状層２４Ｋの一部である場合もある。作用効果も各例と同様である。
【００２６】
以上の横断面形状を有する部品を形成するには、各小領域毎に対応する位置と大きさのノズルを設け、ここから粉の混在したマトリックス樹脂を押し出しつつ、それらの周囲から、環状層に対応する合成樹脂を押し出して、全体を例えば円柱状に成形し、後でこれを切削加工等によって所望の寸法形状に加工する等の方法による。
【００２７】
以上の小領域自体を、天然材の粉の混合したマトリックス樹脂ではなく、細長状の既述種類の天然素材で形成し、その長手方向を上記各例の長手方向に指向させ、既述のマトリックス樹脂やその他の合成樹脂（エポキシ樹脂等）を介在させて集合形成し、加圧し、上記の各種類の部品を形成してもよい。
以上の部品の他に、釣竿の尻栓、ルアー、バッグ類の取手、タモの柄、ヒシャクの柄等に使用してもよい。
【００２８】
【発明の効果】
以上の説明から明らかなように本発明によれば、釣竿又はその他の釣具において装着されている天然素材を有する部品の耐久性が向上する。
【図面の簡単な説明】
【図１】図１は本発明に係る釣竿の側面図である。
【図２】図２は腹当部品の拡大側面図である。
【図３】図３は図２の部品の平面図である。
【図４】図４は図２の矢視線Ｄ−Ｄによる横断面図である。
【図５】図５は上栓の側面図である。
【図６】図６は図５の矢視線Ｆ−Ｆによる横断面図である。
【図７】図７はルアーロッドの部分側面図である。
【図８】図８は図７の要部縦断面図である。
【図９】図９はフライロッドの要部側面図である。
【図１０】図１０はスピニングリールの側面図である。
【図１１】図１１は図１０のノブの拡大側面図である。
【図１２】図１２は図１１の矢視線Ｌ−Ｌによる横断面図である。
【符号の説明】
１０            竿管
１４            腹当部品
１４Ｓ          小領域
１４Ｋ          合成樹脂環状層
１４Ｔ          外側領域
【図１】
2004173622.tif 000003
【図２】
2004173622.tif 000004
【図３】
2004173622.tif 000005
【図４】
2004173622.tif 000006
【図５】
2004173622.tif 000007
【図６】
2004173622.tif 000008
【図７】
2004173622.tif 000009
【図８】
2004173622.tif 000010
【図９】
2004173622.tif 000011
【図１０】
2004173622.tif 000012
【図１１】
2004173622.tif 000013
【図１２】
2004173622.tif 000014